(57)【要約】【課題】スプール固定の確実性の問題、スプールケースの生産性の問題、およびワイヤーボンダーのスプールホルダーへ装着する時に、ファインワイヤーの表面への何らかの接触によって生じるワイヤー損傷などの問題を解決したボンディングワイヤー用スプールケースを提供する。【解決手段】容器（５）は、底面（５ａ）と、底面（５ａ）の周囲に一体に形成された筒状の側面（５ｂ）とからなり、保持台（８）は、容器（５）内で底面（５ａ）と平行状態を維持したまま移動可能であり、かつ、スプール（２）の一方のフランジ（２ａ）が挿入可能な凹部（８ａ）と、凹部（８ａ）の周方向外方より、フランジ（２ａ）を把持可能な２つ以上の弾性係合片（８ｂ）とを有する。弾性係合片（８ｂ）は、自由状態では、前記フランジ（２ａ）を開放し、保持台（８）が容器（５）内にある状態では、容器（５）の側面（５ｂ）から押されることにより、フランジ（２ａ）を把持する。【選択図】  図１
2004288724.tif 000002
【特許請求の範囲】
【請求項１】
筒状容器と、保持台と、蓋とからなるスプールケースであり、前記筒状容器は、一端に開口の縁部を有し、他端に底面を有し、かつ、断面一様な内側面を有し、前記保持台は、外側面とスプール保持部とからなり、保持台の外側面は、前記筒状容器の内側面に接した状態で摺動可能であり、保持台のスプール保持部は、前記筒状容器の開口側にあり、スプールをはめ込み自在の縁部を有し、前記蓋は、はめ込み部と段部とからなり、蓋のはめ込み部は、前記筒状容器の開口の縁部にはめ込み自在であり、蓋の段部は、スプールの一端がスプール保持部に保持された状態で、スプールの他端にはめ込み自在であり、前記筒状容器の内側面と保持台の外側面の間の摺動における摩擦抵抗は、ワイヤーボンダーのスプールホルダーとスプールとの間の摺動の摩擦抵抗より低いことを特徴とするボンディングワイヤー用スプールケース。
【請求項２】
前記保持台のスプール保持部の縁部が、該保持台が容器の内側面と接している場合にはスプールを保持し、自由状態ではスプールを開放することを特徴とする請求項１に記載のボンディングワイヤー用スプールケース。
【請求項３】
スプールを収容する容器と、該容器内で移動可能な保持台とからなるボンディングワイヤー用スプールケースであって、前記保持台は、スプール保持部を有し、かつ、該スプール保持部がスプールを保持するための弾性変形可能な縁部を有し、該縁部は、半径方向外側部と半径方向内側部とからなり、半径方向外側部の外径は、自由状態で前記容器の内径よりも大きく、該保持台が容器の内側面と接している場合には半径方向外側部と半径内側部との間でスプールを保持し、自由状態ではスプールを開放することを特徴とするボンディングワイヤー用スプールケース。
【請求項４】
前記スプール保持部が、前記スプールのフランジ外周縁に係合して、該スプールを保持することを特徴とする請求項３に記載のボンディングワイヤー用スプールケース。
【請求項５】
前記スプール保持部が、前記スプールの内周面に突合して、該スプールを保持することを特徴とする請求項３に記載のボンディングワイヤー用スプールケース。
【請求項６】
前記容器の胴体部内に、該容器の底面より伸び出る柱状部材を設け、前記保持台には、該柱状部材に摺動可能な中空部を形成したことを特徴とする請求項３から５のいずれかに記載のボンディングワイヤー用スプールケース。
【請求項７】
前記容器の胴体部内に、該容器の底面より伸び出る柱状部材を設け、前記保持台には、該柱状部材に摺動可能な中空部を形成し、前記保持台が胴体部にあるときは、前記スプール保持部が前記胴体部と前記柱状部材に挟まれてスプールを保持し、前記保持台が前記容器の開口部にあるときは、前記スプール保持部が弾性変形することによりスプールを開放することを特徴とする請求項５に記載のボンディングワイヤー用スプールケース。
【請求項８】
前記容器の開口部の断面が、該容器の胴体部の断面より広くすることにより、前記保持台が胴体部にあるときは、前記スプール保持部がスプールを保持し、前記容器の開口部において、該スプール保持部が弾性変形することにより、スプールを開放することを特徴とする請求項４から７のいずれかに記載のボンディングワイヤー用スプールケース。
【請求項９】
保持台に保持されたスプールの中心軸方向へ、保持台がスライドできるように、前記スプール保持部が摺動可能な軌道部を、前記容器の内側面に設けたことを特徴とする請求項２から８のいずれかに記載のボンディングワイヤー用スプールケース。
【請求項１０】
保持台に保持されたスプールの中心軸方向へ、保持台がスライドでき、かつ回転が抑止されるように、前記容器の内側形状と保持部の外側形状とがそれぞれ形成されていることを特徴とする請求項２から８のいずれかに記載のボンディングワイヤー用スプールケース。
【請求項１１】
前記容器を、弾性変形可能に形成し、かつ、前記保持台の軸方向断面をスプールと対向する側で小さく、反対側で大きく形成することにより、容器の外側から、保持台を押して保持可能であることを特徴とする請求項２から１０のいずれかに記載のボンディングワイヤー用スプールケース。
【請求項１２】
スプールの内周面に係合する蓋を有することを特徴とする請求項２から１１のいずれかに記載のボンディングワイヤー用スプールケース。
【請求項１３】
スプールの内周面に係合し、かつ、前記容器の開口部に係合する蓋を有することを特徴とする請求項８に記載のボンディングワイヤー用スプールケース。
【発明の詳細な説明】
【０００１】
【発明の属する技術分野】
本発明は、ボンディングワイヤー用スプールケースに関し、特に、ファインワイヤーが巻かれたスプールを収納するためのボンディングワイヤー用スプールケースに関する。
【０００２】
【従来の技術】
半導体素子上のチップ電極と外部電極との結線（以下ボンディングという）には、直径が１０〜５０μｍ、なかんずく２０〜３０μｍのように極細（ファイン）で、金、アルミニウムあるいは銅といったファインワイヤーが用いられている。このようなファインワイヤーは、スプールに多層に巻かれて、スプールケースに収められており、使用時にはスプールをスプールケースより、直接、手で取り出すのが一般的であった。
【０００３】
しかし、ワイヤー製造メーカーの出荷後から、半導体素子製造メーカーが使用するまでの間に、わずかな接触であっても、スプールに巻かれたファインワイヤーは、折れ曲がったり、表面が傷ついたり、汚れたりし、これらの異常は、半導体素子の生産性を低下させたり、半導体素子の信頼性に大きく影響を及ぼす。
【０００４】
従って、ファインワイヤーの表面への接触の危険を回避するため、直接、スプールを手で持たなくても、スプールをワイヤーボンダーのスプールホルダーへ装着できるようなスプールケースが、例えば、特許第２８２６３０７号公報などに提案されている。
【０００５】
しかしながら、特許第２８２６３０７号公報に記載された発明では、直接、手でスプールを把持しないといった長所はあったものの、スプールを装置へ取り付ける際に、スプールを容器から取り出さなければならないといった点では、従来の取り付け方法と同じである。そのため、スプールを取り出してから、装置へ取り付けるまでの間において、ファインワイヤーの表面を保護するという点では、依然、問題は解消されておらず、装置へ取り付ける際に、ファインワイヤーの表面への接触の危険を回避できるスプールケースが強く望まれていた。
【０００６】
【特許公報１】
特許第２８２６３０７号公報
【０００７】
【発明が解決しようとする課題】
本発明の目的は、スプール固定の確実性の問題、スプールケースの生産性の問題、およびワイヤーボンダーのスプールホルダーへ装着する時に、ファインワイヤーの表面への何らかの接触によって生じるワイヤー損傷などの問題を解決したボンディングワイヤー用スプールケースを提供することにある。
【０００８】
【課題を解決するための手段】
本発明のボンディングワイヤー用スプールケースの一態様では、筒状容器と、保持台と、蓋とからなる。前記筒状容器は、一端に開口の縁部を有し、他端に底面を有し、かつ、断面一様な内側面を有する。前記保持台は、外側面とスプール保持部とからなり、保持台の外側面は、前記筒状容器の内側面に接した状態で摺動可能であり、保持台のスプール保持部は、前記筒状容器の開口側にあり、スプールをはめ込み自在の縁部を有する。前記蓋は、はめ込み部と段部とからなり、蓋のはめ込み部は、前記筒状容器の開口の縁部にはめ込み自在であり、蓋の段部は、スプールの一端がスプール保持部に保持された状態で、スプールの他端にはめ込み自在である。さらに、前記筒状容器の内側面と保持台の外側面の間の摺動における摩擦抵抗は、ワイヤーボンダーのスプールホルダーとスプールとの間の摺動の摩擦抵抗より低い。
【０００９】
前記保持台のスプール保持部の縁部が、該保持台が容器の内側面と接している場合にはスプールを保持し、自由状態ではスプールを開放する。
【００１０】
本発明のボンディングワイヤー用スプールケースの異なる態様では、スプールを収容する容器と、該容器内で移動可能な保持台とからなる。前記保持台は、スプール保持部を有し、かつ、該スプール保持部がスプールを保持するための弾性変形可能な縁部を有し、該縁部は、半径方向外側部と半径方向内側部とからなり、半径方向外側部の外径は、自由状態で前記容器の内径よりも大きく、該保持台が容器の内側面と接している場合には半径方向外側部と半径内側部との間でスプールを保持し、自由状態ではスプールを開放する。
【００１１】
前記スプール保持部が、前記スプールのフランジ外周縁に係合して、該スプールを保持するか、前記スプール保持部が、前記スプールの内周面に突合して、該スプールを保持することが好ましい。
【００１２】
また、前記容器の胴体部内に、該容器の底面より伸び出る柱状部材を設け、前記保持台には、該柱状部材に摺動可能な中空部を形成することが望ましい。
【００１３】
または、前記容器の胴体部内に、該容器の底面より伸び出る柱状部材を設け、前記保持台には、該柱状部材に摺動可能な中空部を形成し、前記保持台が胴体部にあるときは、前記スプール保持部が前記胴体部と前記柱状部材に挟まれてスプールを保持し、前記保持台が前記容器の開口部にあるときは、前記スプール保持部が弾性変形することによりスプールを開放することが望ましい。
【００１４】
さらに、前記容器の開口部の断面が、該容器の胴体部の断面より広くすることにより、前記保持台が胴体部にあるときは、前記スプール保持部がスプールを保持し、前記容器の開口部において、該スプール保持部が弾性変形することにより、スプールを開放することが好ましい。
【００１５】
保持台に保持されたスプールの中心軸方向へ、保持台がスライドできるように、前記スプール保持部が摺動可能な軌道部を、前記容器の内側面に設けることが好ましい。あるいは、保持台に保持されたスプールの中心軸方向へ、保持台がスライドでき、かつ回転が抑止されるように、前記容器の内側形状と保持部の外側形状とがそれぞれ形成されていることが好ましい。
【００１６】
さらに、前記容器を、弾性変形可能に形成し、かつ、前記保持台の軸方向断面をスプールと対向する側で小さく、反対側で大きく形成することにより、容器の外側から、保持台を押して保持可能であることが望ましい。
【００１７】
スプールの内周面に係合する蓋を有するか、スプールの内周面に係合し、かつ、前記容器の開口部に係合する蓋を有することが好ましい。
【００１８】
【発明の実施の形態】
本発明のボンディングワイヤー用スプールケースにより、蓋を閉めた状態では、蓋、容器、保持台およびスプールが一体となり、容器内でスプールは外部からの接触の危険性から回避される。
【００１９】
また、容器は弾性材であるため、容器の底部に近い側面を強く持つことにより、保持台が固定され、スプールを確実に固定した状態で、蓋の開封を行うことができる。さらに、開封後は、スプールを容器に入れたままの状態で、容器の開口部から、そのまま、ワイヤーボンダーのスプールホルダーへ装填し、容器を持つ力を緩めて、容器をそのまま引き抜くことにより、スプールに巻かれたワイヤーが容器や装置の一部へ接触することなく、スプールと共に保持台が、容器開口部へ到達し、自動的にスプールが開放され、容器からのスプールの取り出しが完了する。
【００２０】
さらに、使用済みの空のスプールの取り外しは、容器内の保持台をスプールのフランジに合わせた後、容器をスプールの方へ押し込むことで、スプールホルダーに取り付けられたスプールを、容器内の底部まで挿入でき、容器の底部に近い側面を強く持ちながら、容器を引くことにより、スプールホルダーからスプールが外れて、空のスプールの回収が完了する。
【００２１】
【実施例】
（実施例１）
図１は、本実施例のボンディングワイヤー用スプールケースにスプールを収納した状態を示す断面図である。
【００２２】
図２は、図１に示したボンディングワイヤー用スプールケースについて、スプールの出し入れを説明する一連の断面図である。図２（Ａ）は、保持台の形状を示した断面図である。図２（Ｂ）は、保持台が容器の端部にあって、スプールを差し込んだ状態を示す断面図である。図２（Ｃ）は、容器内に押し込まれて変形した保持台を示す断面図である。
【００２３】
ボンディングワイヤー用スプールケースは、容器（５）と、保持台（８）と、蓋（４）とを有し、ボンディングワイヤー（１）を巻いたスプール（２）を収納する。
【００２４】
前記容器（５）は、円形の底面（５ａ）と、該底面（５ａ）の周囲に一体に形成され断面が環形の円筒状の側面（５ｂ）と、該側面（５ｂ）の一端で底面（５ａ）と反対側に開口する縁部に形成される係合部（５ｃ）とからなる。容器（５）は、円筒状であってもよいし、角筒状であってもよい。
【００２５】
前記保持台（８）は、前記底面（５ａ）に接する位置と、容器（５）の開口する縁部の係合部（５ｃ）に係合する位置との間で底面（５ａ）と平行状態を維持したまま移動可能であり、スプール（２）の一方のフランジ（２ａ）が挿入可能な環形の凹部（８ａ）と、該凹部（８ａ）の周方向外方より、前記フランジ（２ａ）を把持可能な２つ以上の弾性係合片（８ｂ）とからなり、該弾性係合片（８ｂ）は、保持台（８）が容器（５）の開口する縁部の係合部（５ｃ）に係合する位置にある自由状態では、前記フランジ（２ａ）を開放し、保持台（８）が容器（５）内にある状態では、容器（５）の側面（５ｂ）から押されることにより、前記フランジ（２ａ）を把持する。
【００２６】
前記蓋（４）は、容器（５）の開口する縁部の係合部（５ｃ）に係合可能な弾性縁部（４ａ）を有する略円形である。
【００２７】
図２（Ａ）に断面図で示した自由状態での保持台（８）では、弾性係合片（８ｂ）の開口径（１５）は、図２（Ｂ）に示したスプールフランジ径（１６）よりも大きく、自由状態での弾性係合片（８ｂ）の最大径（１７）は、容器の内径（１８）よりも大きく、図２（Ｃ）に示したように、保持台（８）が容器（５）の内部にある時は、弾性係合片（８ｂ）の内径（１９）が、スプールフランジ径（１６）よりも小さくなるように寸法付けられて形成される。
【００２８】
さらに、容器（５）の開口部には、保持台（８）が元来の形状に回復できる傾斜面と、その端部とからなる係合部（５ｃ）とを、側面（５ｂ）と一体に形成する。保持台（８）には、スプール（２）の胴部に内接する中央の円錐台状突起と、フランジ（２ａ）がはまりこむ形状の凹部（８ａ）とが形成されることにより、スプール（２）は、保持台（８）へ収まり易い形状にする。
【００２９】
さらに、本発明のボンディングワイヤー用スプールケースに、スプール（２）を装着する方法について、説明する。
【００３０】
保持台（８）は、通常、図２（Ｂ）に示したように、容器（５）の開口部へ位置する。そして、容器（５）を持って、スプール（２）を保持台（８）に当てて押し込むと、図２（Ｃ）に示したように、係合部（５ｃ）に接していた保持台（８）が、スプール（２）のフランジ（２ａ）によって容器（５）内へ押し込まれる。この際、容器（５）の内壁によって圧迫されて、弾性係合片（８ｂ）が内側へ押し込まれ、フランジ（２ａ）を自動的に把持する。
【００３１】
さらに、そのまま押し込むと、保持台（８）は容器（５）の底部（５ａ）に接する位置まで移動する。従って、保持台（８）は、容器（５）内で、底部（５ａ）と平行なまま、底部（５ａ）と開口面との間の軸方向に移動可能な状態にあり、ボンディングワイヤー（１）は容器（５）の内壁に接触することなく収納される。
【００３２】
最後に、図１に示したように、蓋（４）の弾性縁部（４ａ）を容器（５）の開口する縁部の係合部（５ｃ）に係合させることにより、密封状態にすることが可能である。
【００３３】
次に、スプールをワイヤーボンダーに装着する方法について、図面を参照して説明する。
【００３４】
図３は、図１に示したボンディングワイヤー用スプールケースについて、ワイヤーボンダーへのスプールの装着を説明する一連の断面図である。図３（Ａ）は、ワイヤーボンダー（２２）に、スプール（２）の入った容器（５）を近づけた状態を示す断面図である。図３（Ｂ）は、ワイヤーボンダー（２２）に、スプール（２）を嵌め込んだ状態を示す断面図である。図３（Ｃ）は、ワイヤーボンダー（２２）とスプール（２）が、容器（５）から引き出される途中を示す断面図である。
【００３５】
容器（５）から蓋を外し、容器（５）にスプール（２）を入れたままの状態で、ワイヤーボンダーのスプールホルダー（２２）へあてがい、スプールホルダー（２２）のフランジ（２３）がスプール（２）のフランジに接触するまで押し込む。
【００３６】
この間、保持台（８）は、容器（５）の底部（５ａ）に接する位置にあるので、弾性係合片（８ｂ）は、容器（５）によって内側に押し込まれており、スプール（２）のスプールフランジ（２ａ）と係合したままである。その後、容器（５）を静かに引き抜く。スプール（２）とスプールホルダー（２２）との摩擦力が、保持台（８）と容器（５）との摩擦力よりも大きくなるように寸法付けられ、かつ、保持台（８）が、スプール（２）を把持したままなので、図３（Ｃ）に示すように、保持台（８）は、スプール（２）とともにスプールホルダー（２２）に当接する状態のまま、容器（５）のみ引き抜かれる。
【００３７】
このとき、保持台（８）は、容器（５）へ内接しており、容器（５）内では、底部（５ａ）と容器（５）の開口面との間で、容器（５）内を、軸方向に移動可能な状態で、かつ、スプール（２）の軸と、保持台（８）の移動する軸とが、概ね一致または平行に保たれるため、ボンディングワイヤー（１）は、容器（５）の内壁に接触することなく、スプール（２）が容器（５）から取り出される。
【００３８】
（実施例２）
本発明のボンディングワイヤー用スプールケースの異なる実施例について、図４に、スプールの出し入れを説明する一連の断面図を示す。
【００３９】
本実施例では、保持台（２８）の中央に向いた弾性片（２８ａ）が、スプール（２）の胴部内壁へ接して押圧し、さらに、容器（２５）の底部（２５ａ）の中央から伸び出る円柱部を挟んで摺動するように、寸法付けられて構成される。
【００４０】
このような構成では、図４（Ａ）に示すように、スプール（２）を容器（２５）に入れたままの状態で、ワイヤーボンダーのスプールホルダー（２６）へあてがい、そのままスプール（２）のフランジが、スプールホルダーフランジ（２６ａ）に接触するまで押し込む。この間、保持台（２８）は、容器（２５）の底部（２５ａ）に接する位置にあるので、弾性片（２８ａ）は、容器（２５）の円柱部によって、スプール（２）の胴部内壁に押し当てられており、弾性片（２８ａ）はスプール（２）と接触したままであり、スプール（２）の中心軸は保持台（２８）の移動軸と概ね一致または平行に保たれる。
【００４１】
その後、容器（２５）を静かに引き抜くと、スプール（２）とスプールホルダー（２６）との摩擦力の方が、保持台（２８）と容器（２５）との摩擦力よりも大きくなるように、形成されていて、かつ、保持台（２８）は、スプール（２）を内側から押圧したままなので、図４（Ｃ）に示すように、保持台（２８）は、スプール（２）とともにスプールホルダー（２２）と共に引き出される。このとき、保持台（２８）は、容器（２５）へ内接し、底面（２５ａ）と開口面との間の容器（２５）内で移動可能な状態で、かつ、保持台（２８）の移動軸は、スプール（２）の中心軸と概ね一致または平行に保たれる。従って、ボンディングワイヤー（１）は、容器（２５）の内壁に接触することがない。
【００４２】
図４（Ｃ）に示すように、容器（２５）内の円柱部が、保持台（２８）の中央部から抜けると、保持台（２８）の弾性係合片（２８ａ）は、元の形状へ回復する。そのため、保持台（２８）とスプール（２）との接触が無くなり、スプール（２）が開放される。
【００４３】
（実施例３）
本発明のボンディングワイヤー用スプールケースの異なる実施例について、図５に、２種類の断面図を示す。
【００４４】
図５（Ａ）に断面図を示し、図５（Ｂ）に側面図を示した実施例では、保持台（３６）の中央部に円筒状の孔が空けられる。あるいは、図５（Ｃ）に断面図を示し、図５（Ｄ）に側面図を示した実施例では、保持台（３８）の中央に角柱状の孔が空けられる。それぞれの容器（３５）または容器（３７）の底部（３５ａ）、（３７ａ）には、円筒状の突起または角柱状の突起が設けられて、摺動可能に寸法付けられて構成される。
【００４５】
このような構成とすることにより、保持台（３６）、（３８）が、容器（３５）、（３７）内で移動する場合に、保持台（３６）、（３８）の移動軸と、スプール（２）の中心軸のズレを小さく抑える効果が働くため、スプール（２）を容器（３５）、（３７）から取り出す際に、ボンディングワイヤー（１）と容器（３５）、（３７）の内壁との接触を回避することが確実になる。
【００４６】
さらに、容器（３７）および保持台（３８）に示した例や、さらに底部（３７ａ）からの突起の断面を多角形にした場合には、軸に対して円周方向への回転も抑止することが可能である。
【００４７】
（実施例４）
保持台の２つの実施例を、図６に斜視図で示す。図６（Ａ）に示した保持台（８）は、図１に示したものと同一である。
【００４８】
図６（Ａ）に示した例では、容器（５）の内壁には、保持台（８）の弾性係合片（８ｂ）が摺動可能なレール状の溝を設けて、実施例３における軌道と同様に、軸に対して円周方向への回転を防止する。また、図６（Ｂ）に示した例では、保持台（３０）の角が同様に回転を防止する。
【００４９】
いずれの例でも、保持台（８）、（３０）は、容器の底面と開口面との間で、容器の底面と平行状態を維持したまま移動可能であり、かつ、保持台（８）、（３０）の移動軸は、容器の軸と概ね一致または平行に保たれるので、スプールの出し入れにおいて、ボンディングワイヤーが容器の内壁へ接触する危険性を回避可能である。
【００５０】
（実施例５）
本発明のボンディングワイヤー用スプールケースの実施例について、図７に、ワイヤーボンダーへのスプールの装着を断面図で示した。
【００５１】
スプール（２）を、容器（５）内で、特に確実に保持したい場合のため、容器（５）に内接する保持台（３４）をテーパ状に形成し、底部側よりも開口側をわずかに小さく形成する。ただし、容器（５）内で押される弾性係合片（３４ａ）は、テーパ状の輪郭から突出していてもよい。すなわち、保持台（３４）の側面は、例えば０．５〜５°の角度（３４ｂ）を有する。０．５°未満では、保持台を押さえることが不十分となり、５°を超えると、保持台を押さえるために容器を変形させたとき、塑性変形の危険があるので好ましくない。
【００５２】
このように形成することにより、保持台（３４）は容器（５）の底部に接する位置では、容器（５）を持つ力を上げることによって、容器（５）が部分的に内側へ変形し、変形した内壁面で保持台（３４）が固定される。
【００５３】
すなわち、スプール（２）の出し入れや、ワイヤーボンダーへの装着などにおいて、指の力を変化させるだけで、保持台（３４）の固定が自在になる。
【００５４】
【発明の効果】
以上のように詳述した本発明により、以下に記載されるような効果を奏する。
【００５５】
蓋を閉めた容器内に、半導体素子製造用ボンディングワイヤーを巻いたスプールが、保持台と蓋によってしっかりと固定されるので、輸送中の梱包状態に関して、スプールケースの固定によりボンディングワイヤーも固定できる。
【００５６】
容器内の軸方向に移動可能な保持台を用いたことで、スプールを取り出すことなく、外部からの接触を容器で保護しながら、直接、ワイヤーボンダーのスプールホルダーへスプールを装着でき、ボンディングワイヤーを容器に接触させることなく、スプールの取り出しが可能である。
【００５７】
特に、容器の内壁に軌道部を設けた場合には、ワイヤーボンダーのスプールホルダーが、筒状に開口されていない構造であっても、スプールを容器から取り出すことなく、外部からの接触を容器で保護しながら、直接、ワイヤーボンダーのスプールホルダーへスプールを装着でき、ボンディングワイヤーを容器に接触させることなく、スプールの取り出しが可能である。
【００５８】
さらに、容器の底部に保持台を固定することができるので、本発明による容器を用いて、使用途中のスプールを、直接、回収することができ、回収から再利用時までの間、ボンディングワイヤーの損傷回避が可能となる。
【００５９】
本発明のボンディングワイヤー用スプールケースは、プラスチック材料を用いて、射出成形で容易に製造できるので、安価に量産することが可能である。
【図面の簡単な説明】
【図１】本発明のボンディングワイヤー用スプールケースの一実施例に、スプールを収納した状態を示す断面図である。
【図２】図１に示したボンディングワイヤー用スプールケースについて、スプールの出し入れを説明する一連の断面図である。
【図３】図１に示したボンディングワイヤー用スプールケースについて、ワイヤーボンダーへのスプールの装着を説明する一連の断面図である。
【図４】本発明のボンディングワイヤー用スプールケースの異なる実施例について、スプールの出し入れを説明する一連の断面図である。
【図５】本発明のボンディングワイヤー用スプールケースの異なる２つの実施例に、スプールを収納した状態を示す断面図および側面図である。
【図６】保持台の２つの実施例を示す斜視図である。
【図７】本発明のボンディングワイヤー用スプールケースの異なる実施例について、ワイヤーボンダーへのスプールの装着を説明する一連の断面図である。
【符号の説明】
１  ボンディングワイヤー
２  スプール
２ａ  スプールフランジ
４、２６  蓋
４ａ、２６ａ  係合部
５、２５、４５  容器
５ａ、２５ａ  底面
５ｂ  側面
５ｃ  係合部
５ｄ  軌道部
８、２８、３０  保持台
８ａ、２８ａ、３０ａ  凹部
８ｂ、３０ｂ、３４ａ  弾性係合片
１５  弾性係合片の開口径
１６  スプールフランジ径
１７  弾性係合片の最大径
１８  容器の内径
１９  弾性係合片の内径
２２  ワイヤーボンダー
２３  フランジ
３４、３６、３８  保持台
３５ａ、３７ａ  軌道部
３４ｂ  絞り角
３５、３７  容器
【図１】
2004288724.tif 000003
【図２】
2004288724.tif 000004
【図３】
2004288724.tif 000005
【図４】
2004288724.tif 000006
【図５】
2004288724.tif 000007
【図６】
2004288724.tif 000008
【図７】
2004288724.tif 000009